(57)【要約】【課題】自動車を運転中にドライバーの意思を後続の車両及び歩行者に伝える手段として、方向指示器・尾灯・ストップランプ・バックランプ・非常灯（ハザードランプ）等、標準装備されていて、それらの合図を目的に応じて使用し運行していますが、それだけでは確実に伝わっているとは思われない。【解決手段】車両後部に文字による合図を必要に応じて車両用ＬＥＤ式安全表示装置にて自動的に半自動的にまたは手動で、後続車・歩行者など外部に運転者の意思を伝えるための装置である。【選択図】　図１
2004037806.tif 000002
【特許請求の範囲】
【請求項１】
車両にＬＥＤからなる電光掲示板を装着し運転者の操作によって点灯し状況に応じたいくつかの交通安全をうながす電飾文字が入力されていて車外に注意・警告することを特徴とする車両用ＬＥＤ式安全表示装置。
【発明の詳細な説明】
【０００１】
車両用ＬＥＤ式安全装置は、自動車を運行中にそのときの状況に応じて電光掲示板によって車両、または歩行者へ、電飾文字による表現で車外に注意をうながし、とくに聴覚障害をもつ歩行者の方には「目」で確認できるので、事故防止につながる装置です。
入力されているの使用車両用ＬＥＤ式安全装置使用法と目的に応じた機能。
追突注意　　非常時に使用するハザードランプスイッチをＯＮにすると、非常灯と同時に車両用ＬＥＤ式安全装置が　追突注意　と電飾文字で点灯し、後続の運転者に注意を促す。ハザードランプスイッチＯＦＦで非常灯と車両用ＬＥＤ式安全装置が消灯する。
バックします　変速レバーをバックギヤにセットすると同時に　バックします　と車両用ＬＥＤ式安全装置が文字で点灯し、後続の運転者へ注意をうながし　歩行者は「目」でも確認できる。
減速中　デーゼル車で大型貨物車・四トン貨物車・バス等が　排気ブレーキ作動中は　減速中　と車両用ＬＥＤ式安全装置が表示し後続の車両に注意をうながす。
乗降中　通園・通学　等のバスが乗客の乗り降りで停車中にドア開閉灯の点灯中に車両用ＬＥＤ式安全装置に乗降中の電飾文字が点灯、後続のバイク・自転車・自動車・歩行者など外部に注意をうながす。
ありがとう　車両がウインカーで合図をして路肩からの発進のとき又は進路変更したとき、後方の車両が進路を譲ってくれた時などに、手元スイッチでお礼の意思として　ありがとう　の電飾文字で後続車にサインを送る、３回点滅して自動的に消える。
他に　集荷中　郵便車等　作業中　工事作業車等　配達中　宅配車など必要に応じてＬＥＤによる電飾文字を入力することができる。
（発明の属する技術分野）
この発明は、自動車に取り付けた車両用ＬＥＤ式安全装置で表示された電飾文字により車外の車両及び歩行者に、ドライバーの意思を伝え交通事故を防ぎ運転者間の心が心理的に癒される為の機器に関する。
【０００２】
（従来の技術）
従来の車両に取り付けている警告灯は、園児の送迎バス・路線バスなどは、現在乗降中のみを表示しているが、車両用ＬＥＤ式安全表示装置はあらゆる状況に応じて自動的に又は半自動的に、その際必要とされる後方車両の車両用ＬＥＤ式安全表示装置で運転者・歩行者などに、追突注意・バックします・減速中・乗降中・ありがとう　などを電飾文字で表し外部に明確に注意をうながすために車両後部に取り付ける交通安全用品である。
他に、路線バス等で後部にステッカーによって（補助ブレーキでも点灯します）と表示していますが、一般ドライバーにはそのステッカーの意味が理解されていません。そこで補助ブレーキ（排気ブレーキ）作動中は、車両用ＬＥＤ式安全表示装置に　減速中　と電飾文字にて表示されれば後続の車両は前方の車両が速度を落としている事が瞬時に判断でき追突事故を未然に防げる装置でもある。
【０００３】
（発明が解決しようとする課題）
しかしながら、以上の従来技術によれば、後方車両・聴覚障害を持つ歩行者には車両の行動が把握できにくいため、そこでこの発明は、車両用ＬＥＤ式安全表示装置を車両の外部に設置し電飾文字にて安全運転、交通事故防止と、運転者間が心理的に癒されることを提供することを課題とする。
【０００４】
（課題を解決するための手段）
以上の課題を解決するために、請求項１の発明は、自動車を運転中にドライバーの意思を後続の車両と歩行者に車両外部に取り付けた車両用ＬＥＤ式安全装置にて、状況に応じた電飾文字を点灯及び点滅で後続の車両の運転者へまたは歩行者に注意をうながすことを特徴とする車両用ＬＥＤ式安全表示装置。
また、車両の後部に車両用ＬＥＤ式安全装置、発行ダイオード〈ＬＥＤ〉で点灯し、「追突注意」「バックします」「減速中」「作業中」「乗降中」「配達中」「ありがとう」等の項目を入力されていて車両運行中に運転者が状況に応じて後続車、歩行者に車両用ＬＥＤ式安全表示装置で外部に注意をうながすと共に運転者間が心理的に癒されることを特徴とする請求項１記載の車両用ＬＥＤ式安全表示装置である。
【０００５】
【発明の実施の形態】
この発明の一実施形態を図１に示す。
車両用ＬＥＤ式安全表示装置の本体１は耐震・耐水・防塵が完全で強化プラスチック等の材料を整形して製作し、電飾文字を表示する外側部分には透明なものを使用する、その内側へＬＥＤを多数配置した基盤に「追突注意」「バックします」「減速中」「作業中」「乗降中」「配達中」「ありがとう」などを入力した製品である。この車両用ＬＥＤ式安全表示装置を車両に取り付け、運転者の操作で制御箱にてコントロールされ、点灯又は点滅して後続車、歩行者へ合図をし注意を促す。この製品の寸法は車両の取り付けスペースにより異なる。
【０００６】
「実施形態の効果」
この実施形態によれば、運転者の操作で自動的に作動し、または必要に応じた時の運転者の判断で操作をし明確な合図によって後続車・歩行者に電光サインにて注意を外部にうながし、癒し効果も働き、交通事故防止を促進する。
【０００７】
「他の実施形態」
図１、の実施形態では、車両用ＬＥＤ式安全表示装置、制御箱（４）は追突注意・バックします・減速中・乗降中・作業中・配達中・ありがとう、などが入力されているので後方の車両運転者と歩行者へ自分の意思を明確な合図ではっきり確認されるが、他の実施形態では、「乗降中」の表示のみなので、この車両用ＬＥＤ式安全表示装置を取りつける事により交通事故防止に貢献できる製品です。
【０００８】
【発明の効果】
以上説明したように、この発明によれば車両用ＬＥＤ式安全表示装置、を車両に取り付けることにより後続の車両、歩行者にドライバーの意思が外部に電飾文字によって確実につたわって、癒し効果もあり交通事故防止につながる製品である。
【０００９】
追突注意　は、非常時に使用するハザードスイッチをＯＮにすると、ハザードランプ点滅と同時に車両用ＬＥＤ式安全表示装置に　追突注意　と電飾文字で点灯し、後続の車両に注意を促す。
バックします　は、変速ギアーをバックギアーにセットすると、車両用ＬＥＤ式安全表示装置にバックします　と電飾文字が点灯して、聴覚障害を持つ歩行者の方には車両の行動を目で確認でき事故防止につながります。
減速中　は、デーゼルエンジン車の大型バス・トラックなどが排気ブレーキにて減速したときに、後部に緑のランプが点灯するようになっている車両を見かけますが、プロドライバーには理解できる様ですが一般ドライバーには意味不明です、車両用ＬＥＤ式安全表示装置によって排気ブレーキ作動中、自動的に　減速中
の電飾文字が点灯すれば追突事故を未然に防ぐことができる。
乗降中　は、通園バス・路線バス・その他スクールバスで乗客が乗降中にドア開閉ランプ点灯時に　乗降中　の表示で車外に注意をうながし乗客の乗り降りの安全を確保する。
ありがとう　は、車両がウインカーで合図をし路肩からの発進の際、又は走行中に進路変更したときに後方の車両が進路を譲ってくれた時などに、お礼のサインとして　ありがとう　の文字サインで感謝の意をあらわす。３回点滅、自動で切れる、　この合図を　非常灯（ハザードランプ）で行っているようですが、本来は非常時に使用するものであって、この暗黙サインが分かっていないドライバーは危険を察知して事故を招くことも考えられる。
その他、作業中　配達中　等の文字を入力することができる。
【図面の簡単な説明】
【図１】この発明の実態形態を示す車両用ＬＥＤ安全装置である。
【図２】この発明の実施形態を示すバス後部の図面である。
【図３】この発明の実施形態を示す貨物自動車後部の図面である。
【符号の説明】
１．車両用ＬＥＤ式安全装置本体　　２．ＬＥＤを多数配置した基盤
３．制御箱の指示信号を送る配線　　４．制御箱
５．運転者指示した信号を制御箱へ送る配線
６．車両用ＬＥＤ式安全装置本体　　７．後部ガラス
８．１対の尾灯と１対の方向指示器　９．後部バンパー
【図１】
2004037806.tif 000003
【図２】
2004037806.tif 000004
【図３】
2004037806.tif 000005